(57)【要約】      （修正有）【課題】仮定されたＤＭＲＳ密度と実際のＤＭＲＳ密度が合わない場合でも自局のＤＭＲＳシンボルの受信を確保するマルチユーザマルチ入力マルチ出力（ＭＵ−ＭＩＭＯ）伝送方法を提供する。【解決手段】基地局は、ＭＵ−ＭＩＭＯ伝送を行う１つ以上の協調伝送ユーザ端末（ＵＥ）に対して、復調パイロット信号（ＤＭＲＳ）ポートを設定して（１０１）、ＤＭＲＳポート割り当て総数と設定されたＤＭＲＳポートとによって、各協調伝送ユーザ端末のＤＭＲＳシンボルとユーザデータとを、各リソースブロック（ＲＢ）にマッピングし（１０２）、前記１つ以上の協調伝送ユーザ端末のうちの第iのユーザ端末のＤＭＲＳポート情報を、該第iのユーザ端末に送信し（１０３）、前記第iのユーザ端末は、自局のＤＭＲＳポート情報によって、各ＲＢからユーザデータと自局のＤＭＲＳシンボルとを受信する（１０４）。【選択図】図１
2011142617.tif 000002
【特許請求の範囲】
【請求項１】
マルチユーザマルチ入力マルチ出力（ＭＵ−ＭＩＭＯ）伝送方法であって、
基地局は、ＭＵ−ＭＩＭＯ伝送を行う１つ以上の協調伝送ユーザ端末（ＵＥ）に対して、復調パイロット信号（ＤＭＲＳ）ポートを設定して、ＤＭＲＳポート割り当て総数とＤＭＲＳポート設定とによって、各協調伝送ユーザ端末のＤＭＲＳシンボルとユーザデータとを、各リソースブロック（ＲＢ）にマッピングし、
前記１つ以上の協調伝送ユーザ端末のうちの第iのユーザ端末のＤＭＲＳポート情報を、該第iのユーザ端末に送信し、
前記第iのユーザ端末は、自局のＤＭＲＳポート情報によって、各ＲＢからユーザデータと自局のＤＭＲＳシンボルとを受信する、
ことを含むことを特徴とする方法。
【請求項２】
基地局は、各ＲＢそれぞれをさらにＭ＊Ｎ個のリソースエレメント（ＲＥ）に分けて、各ＲＢそれぞれにおける全てのＲＥを、第１のＤＭＲＳシンボル領域、第２のＤＭＲＳシンボル領域、およびユーザデータ領域に分ける、
ことをさらに含むことを特徴とする請求項１に記載の方法。
【請求項３】
前記ＤＭＲＳシンボルとユーザデータとを各リソースブロック（ＲＢ）にマッピングすることは、
基地局が、第ｉのユーザ端末のユーザデータを、ユーザデータ領域にマッピングし、
ＤＭＲＳポート割り当て総数が２以下である場合、基地局が、該第ｉのユーザ端末のＤＭＲＳシンボルを、第１のＤＭＲＳシンボル領域にマッピングし、ＤＭＲＳポート割り当て総数が２より大きい場合、基地局が、該第ｉのユーザ端末のＤＭＲＳシンボルを、第１のＤＭＲＳシンボル領域および／または第２のＤＭＲＳシンボル領域にマッピングする、
ことを含むことを特徴とする請求項２に記載の方法。
【請求項４】
前記第iのユーザ端末が、自局のＤＭＲＳポート情報によって、各ＲＢからユーザデータと自局のＤＭＲＳシンボルとを受信することは、
第ｉのユーザ端末が、前記ユーザデータ領域からユーザデータを受信し、
自局のＤＭＲＳポート情報によって、前記第ｉのユーザ端末が、前記第１のＤＭＲＳシンボル領域および／または第２のＤＭＲＳシンボル領域から、自局のＤＭＲＳシンボルを受信する、
ことを含むことを特徴とする請求項３に記載の方法。
【請求項５】
前記ＤＭＲＳシンボルとユーザデータとを各リソースブロック（ＲＢ）にマッピングすることは、
基地局が、前記ＤＭＲＳポート割り当て総数が２以下であると決定した場合、ユーザデータをユーザデータ領域および第２のＤＭＲＳシンボル領域にマッピングして、前記ＤＭＲＳシンボルを第１のＤＭＲＳシンボル領域にマッピングする、
ことを含むことを特徴とする請求項２に記載の方法。
【請求項６】
前記第iのユーザ端末が、自局のＤＭＲＳポート情報によって、各ＲＢからユーザデータと自局のＤＭＲＳシンボルとを受信することは、
第ｉのユーザ端末が、前記ユーザデータ領域および第２のＤＭＲＳシンボル領域から、ユーザデータを受信して、自局のＤＭＲＳポート情報によって、前記第１のＤＭＲＳシンボル領域から、自局のＤＭＲＳシンボルを受信する、
ことを含むことを特徴とする請求項５に記載の方法。
【請求項７】
前記ＤＭＲＳシンボルとユーザデータとを各リソースブロック（ＲＢ）にマッピングすることは、
基地局が、前記ＤＭＲＳポート割り当て総数が２より大きく、かつＯＣＣの長さが２であり、かつ第iのユーザ端末に対して設定されたＤＭＲＳポートの番号が１以下であり、かつ全ての協調伝送ＵＥに対して設定されたＤＭＲＳポートが連続すると決定した場合、ユーザデータをユーザデータ領域および第２のＤＭＲＳシンボル領域にマッピングして、前記ＤＭＲＳシンボルを第１のＤＭＲＳシンボル領域にマッピングしてから、前記第２のＤＭＲＳシンボル領域におけるユーザデータを除去し、該第２のＤＭＲＳシンボル領域に、協調相手ユーザ端末のＤＭＲＳシンボルをパディングする、
ことを含むことを特徴とする請求項２に記載の方法。
【請求項８】
前記第iのユーザ端末が、自局のＤＭＲＳポート情報によって、各ＲＢからユーザデータと自局のＤＭＲＳシンボルとを受信することは、
第iのユーザ端末が、前記ＯＣＣの長さが２であることを知り、かつ、自局のＤＭＲＳポート情報によって、自局で使用されるＤＭＲＳポートの番号が１以下であると判定した場合、前記ユーザデータ領域および第２のＤＭＲＳシンボル領域から、第１のデータをユーザデータとして受信して、前記第１のＤＭＲＳシンボル領域から、自局のＤＭＲＳシンボルを受信する、
ことを含むことを特徴とする請求項７に記載の方法。
【請求項９】
前記ＤＭＲＳシンボルとユーザデータとを各リソースブロック（ＲＢ）にマッピングすることは、
基地局が、前記ＤＭＲＳポート割り当て総数が２より大きく、かつＯＣＣの長さが２であり、かつ全ての協調伝送ＵＥに対して設定されたＤＭＲＳポートが連続しないと決定した場合、ＤＭＲＳポート設定によって、前記ＤＭＲＳシンボルを第１のＤＭＲＳシンボル領域と第２のＤＭＲＳシンボル領域とのうちの一方にマッピングし、ユーザデータを第１のＤＭＲＳシンボル領域と第２のＤＭＲＳシンボル領域とのうちの他方および前記ユーザデータ領域にマッピングしてから、前記第１のＤＭＲＳシンボル領域と第２のＤＭＲＳシンボル領域との他方におけるユーザデータを除去して、協調相手ユーザ端末のＤＭＲＳシンボルをパディングする、
ことを含むことを特徴とする請求項２に記載の方法。
【請求項１０】
前記第iのユーザ端末が、自局のＤＭＲＳポート情報によって、各ＲＢからユーザデータと自局のＤＭＲＳシンボルとを受信することは、
第iのユーザ端末が、前記ＯＣＣの長さが２であることを知り、かつ、自局のＤＭＲＳポート情報によって、第１のＤＭＲＳシンボル領域と第２のＤＭＲＳシンボル領域とのうちの一方から、自局のＤＭＲＳシンボルを受信して、第１のＤＭＲＳシンボル領域と第２のＤＭＲＳシンボル領域とのうちの他方および前記ユーザデータ領域から、第１のデータを受信する、
ことを含むことを特徴とする請求項９に記載の方法。
【請求項１１】
前記ＤＭＲＳシンボルとユーザデータとを各リソースブロック（ＲＢ）にマッピングすることは、
基地局が、前記ＤＭＲＳポート割り当て総数が２より大きく、かつＯＣＣの長さが２であり、かつ第iのユーザ端末に対して設定されたＤＭＲＳポートの番号が１より大きく、かつ全ての協調伝送ＵＥに対して設定されたＤＭＲＳポートが連続すると決定した場合、ユーザデータをユーザデータ領域にマッピングして、前記ＤＭＲＳシンボルを第１のＤＭＲＳシンボル領域および第２のＤＭＲＳシンボル領域にマッピングする、
ことを含むことを特徴とする請求項２に記載の方法。
【請求項１２】
前記第iのユーザ端末が、自局のＤＭＲＳポート情報によって、各ＲＢからユーザデータと自局のＤＭＲＳシンボルとを受信することは、
第iのユーザ端末が、前記ＯＣＣの長さが２であることを知り、かつ、自局のＤＭＲＳポート情報によって、自局で使用されるＤＭＲＳポートの番号が１より大きいと判定した場合、前記ユーザデータ領域からユーザデータを受信して、前記第１のＤＭＲＳシンボル領域および第２のＤＭＲＳシンボル領域から、自局のＤＭＲＳシンボルを受信する、
ことを含むことを特徴とする請求項１１に記載の方法。
【請求項１３】
前記ＤＭＲＳシンボルとユーザデータとを各リソースブロック（ＲＢ）にマッピングすることは、
基地局が、前記ＤＭＲＳポート割り当て総数が２より大きく、かつＯＣＣの長さが２であり、かつ第iのユーザ端末に対して設定されたＤＭＲＳポートの番号が１以下であり、かつ全ての協調伝送ＵＥに対して設定されたＤＭＲＳポートが連続すると判定した場合、ユーザデータをユーザデータ領域および第２のＤＭＲＳシンボル領域にマッピングして、前記ＤＭＲＳシンボルを第１のＤＭＲＳシンボル領域にマッピングしてから、協調相手ユーザ端末のＤＭＲＳシンボルを、前記第２のＤＭＲＳシンボル領域におけるユーザデータに重畳する、
ことを含むことを特徴とする請求項２に記載の方法。
【請求項１４】
前記第iのユーザ端末が、自局のＤＭＲＳポート情報によって、各ＲＢからユーザデータと自局のＤＭＲＳシンボルとを受信することは、
第iのユーザ端末が、前記ＯＣＣの長さが２であることを知り、かつ、自局のＤＭＲＳポート情報によって、自局で使用されるＤＭＲＳポートの番号が１以下であると判定した場合、前記第１のＤＭＲＳシンボル領域から自局のＤＭＲＳシンボルを受信し、前記ユーザデータ領域からユーザデータを受信して、第２のＤＭＲＳシンボル領域から第１のデータを受信し、プリコーディングベクトルによって、前記第１のデータからユーザデータを分離する、
ことを含むことを特徴とする請求項１３に記載の方法。
【請求項１５】
前記ＤＭＲＳシンボルとユーザデータとを各リソースブロック（ＲＢ）にマッピングすることは、
基地局が、ＤＭＲＳポート割り当て総数が２より大きく、かつＯＣＣの長さが２であり、かつ全ての協調伝送ＵＥに対して設定されたＤＭＲＳポートが連続しないと判定した場合、ＤＭＲＳポート設定によって、前記ＤＭＲＳシンボルを第１のＤＭＲＳシンボル領域と第２のＤＭＲＳシンボル領域とのうちの一方にマッピングして、ユーザデータを第１のＤＭＲＳシンボル領域と第２のＤＭＲＳシンボル領域とのうちの他方および前記ユーザデータ領域にマッピングしてから、協調相手ユーザ端末のＤＭＲＳシンボルを、前記第１のＤＭＲＳシンボル領域と第２のＤＭＲＳシンボル領域とのうちの他方におけるユーザデータに重畳する、
ことを含むことを特徴とする請求項２に記載の方法。
【請求項１６】
前記第iのユーザ端末が、自局のＤＭＲＳポート情報によって、各ＲＢからユーザデータと自局のＤＭＲＳシンボルとを受信することは、
第iのユーザ端末が、前記ＯＣＣの長さが２であることを知る場合、自局のＤＭＲＳポート情報によって、前記第１のＤＭＲＳシンボル領域と第２のＤＭＲＳシンボル領域とのうちの一方から、自局のＤＭＲＳシンボルを受信し、前記ユーザデータ領域からユーザデータを受信して、前記第１のＤＭＲＳシンボル領域と第２のＤＭＲＳシンボル領域とのうちの他方から、第１のデータを受信し、プリコーディングベクトルによって、前記第１のデータからユーザデータを分離する、
ことを含むことを特徴とする請求項１５に記載の方法。
【請求項１７】
前記各ＲＢそれぞれが１４＊１２個のリソースエレメント（ＲＥ）に分けられ、
前記第１のＤＭＲＳシンボル領域が、ｉ＝６、７、１３、１４であって、かつ、ｊ＝１、６、１１であるＲＥを含み、前記第２のＤＭＲＳシンボル領域が、ｉ＝６、７、１３、１４であって、かつ、ｊ＝２、７、１２であるＲＥを含み、前記ユーザデータ領域が、第１のＤＭＲＳシンボル領域と第２のＤＭＲＳシンボル領域とシグナリング用に割り当てられたＲＥとを除くほかのＲＥを含む、
ことを特徴とする請求項２〜１６のいずれか１項に記載の方法。
【発明の詳細な説明】
【技術分野】
【０００１】
本発明は、無線通信技術に関し、特に、マルチユーザマルチ入力マルチ出力（ＭＵ−ＭＩＭＯ）伝送方法に関する。
【背景技術】
【０００２】
国際電気通信連合の無線通信部門（ＩＴＵ−Ｒ）から得られたＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）についての評価結果から分かるように、シングルセルの強化型マルチユーザマルチ入力マルチ出力（ＭＵ−ＭＩＭＯ：Ｍｕｌｔｉ−Ｕｓｅｒ  ＭＩＭＯ）は、システム性能を効率よく向上させることができるため、ＬＴＥ−Ａの重要な技術と見なされている。ＬＴＥ  Ｒｅｌ−８において、上位層で伝送モードに対して半静的配置を行うことにより、シングルユーザＭＩＭＯ（ＳＵ−ＭＩＭＯ：Ｓｉｎｇｌｅ−Ｕｓｅｒ  ＭＩＭＯ）とＭＵ−ＭＩＭＯとをサポートする。ＬＴＥ  Ｒｅｌ−９において、透過ＭＵ−ＭＩＭＯという概念が提出され、かつ、復調パイロット信号（ＤＭＲＳ：Ｄｅｍｏｄｕｌａｔｉｏｎ  Ｒｅｆｅｒｅｎｃｅ  Ｓｉｇｎａｌ）ポート割り当て総数Trank≦2である伝送がサポートできる。Trankは、実際にＵＥ用に割り当てられたＤＭＲＳポートの数を指す。ＬＴＥ  Ｒｅｌ−１０の展開につれて、Trank＞2の場合をサポートするように、透過ＭＵ−ＭＩＭＯに対する検討がより一層深くなる。説明すべきところとして、ＤＭＲＳポートの総数Nportは、固定であり、ＵＥが使用可能なＤＭＲＳポートの数を指す。ＤＭＲＳ密度が１２である場合、Nportは４であり、ＤＭＲＳ密度が２４である場合、Nportは８である。但し、ＤＭＲＳポート割り当て総数Trankは固定ではなく、例えば、Nportが８である場合、Trankは２であってよい。
【０００３】
透過ＭＵ−ＭＩＭＯは、ＭＵ−ＭＩＭＯ協調伝送に参加するいずれか１つのユーザ端末（ＵＥ）にとって、ＳＵ−ＭＩＭＯ伝送とＭＵ−ＭＩＭＯ伝送との差異が存在しない、ということを指す。以下、該いずれか１つのユーザ端末が、第iのＵＥと呼ばれる。第iのＵＥは、ＰＤＳＣＨ受信を行う際、自局のＤＭＲＳポート情報、例えば、自局が使用するポートの数や、どれらのポートを具体的に使用するかなどの情報のみを知っている一方、その協調相手ユーザ端末（ｃｏ−ｓｃｈｅｄｕｌｅｄ  ＵＥ）のＤＭＲＳポート情報を知らない。例えば、ユーザ端末１、２、３が、同一のリソースブロック（ＲＢ）にスケジューリングされ、この３つのＵＥが、１つの協調伝送グループを構成し、ここで、ＵＥ２とＵＥ３が、ＵＥ１の協調相手ＵＥである。透過ＭＵ−ＭＩＭＯ伝送において、ＵＥ１は、ＵＥ２とＵＥ３とのＤＭＲＳポート情報を得ることができない。相応に、非透過ＭＵ−ＭＩＭＯは、ＭＵ−ＭＩＭＯ協調伝送に参加する１グループのＵＥのいずれも、その協調相手ＵＥのＤＭＲＳポート情報を知ることができる、ということを指す。
【０００４】
透過ＭＵ−ＭＩＭＯは、非透過ＭＵ−ＭＩＭＯと比較して、ある程度のメリットがある一方、性能損失も存在してしまう。
【０００５】
透過ＭＵ−ＭＩＭＯのメリットは、下記のポイントにある。
【０００６】
（１）スケジューリングの柔軟性が高い
透過ＭＵ−ＭＩＭＯが有するスケジューリングの柔軟性は、例えば、ＵＥが同一の伝送時間間隔（ＴＴＩ：Ｔｒａｎｓｍｉｓｓｉｏｎ  Ｔｉｍｅ  Ｉｎｔｅｒｖａｌ）の異なるサブ時間帯で、ＳＵ−ＭＩＭＯとＭＵ−ＭＩＭＯとを同時に使用することができると体現する。このスケジューリングの柔軟性は、システム性能の向上に有益である。
【０００７】
（２）シグナリングのオーバヘッドが低い
透過ＭＵ−ＭＩＭＯにおいて、ただ、ＳＵ−ＭＩＭＯと類似するシグナリングのみが伝送され、協調相手ＵＥの情報を伝送するために、余計なシグナリングを追加する必要がない。
【０００８】
一方、透過ＭＵ−ＭＩＭＯの性能損失は、下記のポイントにある。
【０００９】
（１）高級受信機を有効にサポートすることができない
例えば、干渉除去合成（ＩＲＣ：Ｉｎｔｅｒｆｅｒｅｎｃｅ  Ｒｅｊｅｃｔｉｏｎ  Ｃｏｍｂｉｎｉｎｇ）受信機のような高級受信機は、協調相手ＵＥから第iのＵＥに対する干渉を除去することができる。これにより、システム性能を向上させる。但し、透過ＭＵ−ＭＩＭＯにおいて、第iのＵＥは、チャネル情報を知ることができず、ひいては、協調相手ＵＥが存在しているかどうかを知らないため、ＩＲＣ受信機を使用することができない。
【００１０】
（２）ＤＭＲＳ密度情報が欠如している
ＬＴＥ  Ｒｅｌ−１０では、ＤＭＲＳポート割り当て総数が一定の範囲内で変化するため、ＤＭＲＳ密度を用いて、協調伝送グループにおける複数のＵＥのＤＭＲＳポートの使用状況を示すことができる。具体的に、ＤＭＲＳポート割り当て総数が２以下である場合、ＤＭＲＳ密度が１２ＲＥｓ／ＲＢであり、ＤＭＲＳポート割り当て総数が２より大きい（３〜８のうちの任意の１つである）場合、ＤＭＲＳ密度が２４ＲＥｓ／ＲＢである。透過ＭＵ−ＭＩＭＯにとって、あるＵＥのポート使用数が２より大きい場合、ＤＭＲＳポート割り当て総数が必ず２より大きいことが表される。そのため、該ＵＥは、協調伝送グループのＤＭＲＳ密度を間接に知ることができる。但し、あるＵＥのポート使用数が２以下である場合、該ＵＥは、ＤＭＲＳ密度を知ることができない。ここで、あるＵＥのポート使用数とは、該ＵＥ用に割り当てられたＤＭＲＳポートの数を指す。この場合、ＵＥ側において、ＰＤＳＣＨデータとＤＭＲＳシンボルとの間の衝突が発生してしまうことになり、あるいは、ＰＤＳＣＨデータを除去する必要がある。ここで、ＰＤＳＣＨデータは、該ＵＥのユーザデータを指す。
【発明の概要】
【発明が解決しようとする課題】
【００１１】
透過ＭＵ−ＭＩＭＯの無線伝送における上記の特徴に鑑みてなされて、基地局とＵＥとの間で、透過ＭＵ−ＭＩＭＯの具体的な実現方式を提供する必要がある。これにより、透過ＭＵ−ＭＩＭＯによる性能損失をできるだけ回避するとともに、透過ＭＵ−ＭＩＭＯのメリットを十分に発揮する。
【００１２】
上記に鑑みてなされて、本発明の主な目的は、ＭＵ−ＭＩＭＯ伝送方法を提供することにより、各協調伝送ＵＥが協調相手ＵＥのＤＭＲＳポート情報を知ることができない場合、システム性能をよりよく向上させる、ということにある。
【課題を解決するための手段】
【００１３】
上記目的を達成するために、本発明は具体的に下記のように実現される。
【００１４】
マルチユーザマルチ入力マルチ出力（ＭＵ−ＭＩＭＯ）伝送方法であって、基地局は、ＭＵ−ＭＩＭＯ伝送を行う１つ以上の協調伝送ユーザ端末（ＵＥ）に対して、復調パイロット信号（ＤＭＲＳ）ポートを設定して、ＤＭＲＳポート割り当て総数とＤＭＲＳポート設定とによって、各協調伝送ユーザ端末のＤＭＲＳシンボルとユーザデータとを、各リソースブロック（ＲＢ）にマッピングし、前記１つ以上の協調伝送ユーザ端末のうちの第iのユーザ端末のＤＭＲＳポート情報を、該第iのユーザ端末に送信し、前記第iのユーザ端末は、自局のＤＭＲＳポート情報によって、各ＲＢからユーザデータと自局のＤＭＲＳシンボルとを受信する、ことを含む。
【００１５】
該方法において、基地局は、各ＲＢそれぞれをさらにＭ＊Ｎ個のリソースエレメント（ＲＥ）に分けて、各ＲＢそれぞれにおける全てのＲＥを、第１のＤＭＲＳシンボル領域、第２のＤＭＲＳシンボル領域、およびユーザデータ領域に分ける、ことをさらに含む。
【００１６】
前記ＤＭＲＳシンボルとユーザデータとを各リソースブロック（ＲＢ）にマッピングすることは、基地局が、第ｉのユーザ端末のユーザデータを、ユーザデータ領域にマッピングし、ＤＭＲＳポート割り当て総数が２以下である場合、基地局が、該第ｉのユーザ端末のＤＭＲＳシンボルを、第１のＤＭＲＳシンボル領域にマッピングし、ＤＭＲＳポート割り当て総数が２より大きい場合、基地局が、該第ｉのユーザ端末のＤＭＲＳシンボルを、第１のＤＭＲＳシンボル領域および／または第２のＤＭＲＳシンボル領域にマッピングする、ことを含む。
【００１７】
前記第iのユーザ端末が、自局のＤＭＲＳポート情報によって、各ＲＢからユーザデータと自局のＤＭＲＳシンボルとを受信することは、第ｉのユーザ端末が、前記ユーザデータ領域からユーザデータを受信し、自局のＤＭＲＳポート情報によって、前記第ｉのユーザ端末が、前記第１のＤＭＲＳシンボル領域および／または第２のＤＭＲＳシンボル領域から、自局のＤＭＲＳシンボルを受信する、ことを含む。
【００１８】
前記ＤＭＲＳシンボルとユーザデータとを各リソースブロック（ＲＢ）にマッピングすることは、基地局が、前記ＤＭＲＳポート割り当て総数が２以下であると決定した場合、ユーザデータをユーザデータ領域および第２のＤＭＲＳシンボル領域にマッピングして、前記ＤＭＲＳシンボルを第１のＤＭＲＳシンボル領域にマッピングする、ことを含む。
【００１９】
前記第iのユーザ端末が、自局のＤＭＲＳポート情報によって、各ＲＢからユーザデータと自局のＤＭＲＳシンボルとを受信することは、第ｉのユーザ端末が、前記ユーザデータ領域および第２のＤＭＲＳシンボル領域から、ユーザデータを受信して、自局のＤＭＲＳポート情報によって、前記第１のＤＭＲＳシンボル領域から、自局のＤＭＲＳシンボルを受信する、ことを含む。
【００２０】
前記ＤＭＲＳシンボルとユーザデータとを各リソースブロック（ＲＢ）にマッピングすることは、基地局が、前記ＤＭＲＳポート割り当て総数が２より大きく、かつＯＣＣの長さが２であり、かつ第iのユーザ端末に対して設定されたＤＭＲＳポートの番号が１以下であり、かつ全ての協調伝送ＵＥに対して設定されたＤＭＲＳポートが連続すると決定した場合、ユーザデータをユーザデータ領域および第２のＤＭＲＳシンボル領域にマッピングして、前記ＤＭＲＳシンボルを第１のＤＭＲＳシンボル領域にマッピングしてから、前記第２のＤＭＲＳシンボル領域におけるユーザデータを除去し、該第２のＤＭＲＳシンボル領域に、協調相手ユーザ端末のＤＭＲＳシンボルをパディングする、ことを含む。
【００２１】
前記第iのユーザ端末が、自局のＤＭＲＳポート情報によって、各ＲＢからユーザデータと自局のＤＭＲＳシンボルとを受信することは、第iのユーザ端末が、前記ＯＣＣの長さが２であることを知り、かつ、自局のＤＭＲＳポート情報によって、自局で使用されるＤＭＲＳポートの番号が１以下であると判定した場合、前記ユーザデータ領域および第２のＤＭＲＳシンボル領域から、第１のデータをユーザデータとして受信して、前記第１のＤＭＲＳシンボル領域から、自局のＤＭＲＳシンボルを受信する、ことを含む。
【００２２】
前記ＤＭＲＳシンボルとユーザデータとを各リソースブロック（ＲＢ）にマッピングすることは、基地局が、前記ＤＭＲＳポート割り当て総数が２より大きく、かつＯＣＣの長さが２であり、かつ全ての協調伝送ＵＥに対して設定されたＤＭＲＳポートが連続しないと決定した場合、ＤＭＲＳポート設定によって、前記ＤＭＲＳシンボルを第１のＤＭＲＳシンボル領域と第２のＤＭＲＳシンボル領域とのうちの一方にマッピングし、ユーザデータを第１のＤＭＲＳシンボル領域と第２のＤＭＲＳシンボル領域とのうちの他方および前記ユーザデータ領域にマッピングしてから、前記第１のＤＭＲＳシンボル領域と第２のＤＭＲＳシンボル領域との他方におけるユーザデータを除去して、協調相手ユーザ端末のＤＭＲＳシンボルをパディングする、ことを含む。
【００２３】
前記第iのユーザ端末が、自局のＤＭＲＳポート情報によって、各ＲＢからユーザデータと自局のＤＭＲＳシンボルとを受信することは、第iのユーザ端末が、前記ＯＣＣの長さが２であることを知り、かつ、自局のＤＭＲＳポート情報によって、第１のＤＭＲＳシンボル領域と第２のＤＭＲＳシンボル領域とのうちの一方から、自局のＤＭＲＳシンボルを受信して、第１のＤＭＲＳシンボル領域と第２のＤＭＲＳシンボル領域とのうちの他方および前記ユーザデータ領域から、第１のデータを受信する、ことを含む。
【００２４】
前記ＤＭＲＳシンボルとユーザデータとを各リソースブロック（ＲＢ）にマッピングすることは、基地局が、前記ＤＭＲＳポート割り当て総数が２より大きく、かつＯＣＣの長さが２であり、かつ第iのユーザ端末に対して設定されたＤＭＲＳポートの番号が１より大きく、かつ全ての協調伝送ＵＥに対して設定されたＤＭＲＳポートが連続すると決定した場合、ユーザデータをユーザデータ領域にマッピングして、前記ＤＭＲＳシンボルを第１のＤＭＲＳシンボル領域および第２のＤＭＲＳシンボル領域にマッピングする、ことを含む。
【００２５】
前記第iのユーザ端末が、自局のＤＭＲＳポート情報によって、各ＲＢからユーザデータと自局のＤＭＲＳシンボルとを受信することは、第iのユーザ端末が、前記ＯＣＣの長さが２であることを知り、かつ、自局のＤＭＲＳポート情報によって、自局で使用されるＤＭＲＳポートの番号が１より大きいと判定した場合、前記ユーザデータ領域からユーザデータを受信して、前記第１のＤＭＲＳシンボル領域および第２のＤＭＲＳシンボル領域から、自局のＤＭＲＳシンボルを受信する、ことを含む。
【００２６】
前記ＤＭＲＳシンボルとユーザデータとを各リソースブロック（ＲＢ）にマッピングすることは、基地局が、前記ＤＭＲＳポート割り当て総数が２より大きく、かつＯＣＣの長さが２であり、かつ第iのユーザ端末に対して設定されたＤＭＲＳポートの番号が１以下であり、かつ全ての協調伝送ＵＥに対して設定されたＤＭＲＳポートが連続すると判定した場合、ユーザデータをユーザデータ領域および第２のＤＭＲＳシンボル領域にマッピングして、前記ＤＭＲＳシンボルを第１のＤＭＲＳシンボル領域にマッピングしてから、協調相手ユーザ端末のＤＭＲＳシンボルを、前記第２のＤＭＲＳシンボル領域におけるユーザデータに重畳する、ことを含む。
【００２７】
前記第iのユーザ端末が、自局のＤＭＲＳポート情報によって、各ＲＢからユーザデータと自局のＤＭＲＳシンボルとを受信することは、第iのユーザ端末が、前記ＯＣＣの長さが２であることを知り、かつ、自局のＤＭＲＳポート情報によって、自局で使用されるＤＭＲＳポートの番号が１以下であると判定した場合、前記第１のＤＭＲＳシンボル領域から自局のＤＭＲＳシンボルを受信し、前記ユーザデータ領域からユーザデータを受信して、第２のＤＭＲＳシンボル領域から第１のデータを受信し、プリコーディングベクトルによって、前記第１のデータからユーザデータを分離する、ことを含む。
【００２８】
前記ＤＭＲＳシンボルとユーザデータとを各リソースブロック（ＲＢ）にマッピングすることは、基地局が、ＤＭＲＳポート割り当て総数が２より大きく、かつＯＣＣの長さが２であり、かつ全ての協調伝送ＵＥに対して設定されたＤＭＲＳポートが連続しないと判定した場合、ＤＭＲＳポート設定によって、前記ＤＭＲＳシンボルを第１のＤＭＲＳシンボル領域と第２のＤＭＲＳシンボル領域とのうちの一方にマッピングして、ユーザデータを第１のＤＭＲＳシンボル領域と第２のＤＭＲＳシンボル領域とのうちの他方および前記ユーザデータ領域にマッピングしてから、協調相手ユーザ端末のＤＭＲＳシンボルを、前記第１のＤＭＲＳシンボル領域と第２のＤＭＲＳシンボル領域とのうちの他方におけるユーザデータに重畳する、ことを含む。
【００２９】
前記第iのユーザ端末が、自局のＤＭＲＳポート情報によって、各ＲＢからユーザデータと自局のＤＭＲＳシンボルとを受信することは、第iのユーザ端末が、前記ＯＣＣの長さが２であることを知る場合、自局のＤＭＲＳポート情報によって、前記第１のＤＭＲＳシンボル領域と第２のＤＭＲＳシンボル領域とのうちの一方から、自局のＤＭＲＳシンボルを受信し、前記ユーザデータ領域からユーザデータを受信して、前記第１のＤＭＲＳシンボル領域と第２のＤＭＲＳシンボル領域とのうちの他方から、第１のデータを受信し、プリコーディングベクトルによって、前記第１のデータからユーザデータを分離する、ことを含む。
【００３０】
前記各ＲＢそれぞれが１４＊１２個のリソースエレメント（ＲＥ）に分けられ、前記第１のＤＭＲＳシンボル領域が、ｉ＝６、７、１３、１４であって、かつ、ｊ＝１、６、１１であるＲＥを含み、前記第２のＤＭＲＳシンボル領域が、ｉ＝６、７、１３、１４であって、かつ、ｊ＝２、７、１２であるＲＥを含み、前記ユーザデータ領域が、第１のＤＭＲＳシンボル領域と第２のＤＭＲＳシンボル領域とシグナリング用に割り当てられたＲＥとを除くほかのＲＥを含む。
【発明の効果】
【００３１】
上述した解決手段から分かるように、本発明のＭＵ−ＭＩＭＯ伝送方法では、基地局側は、ＤＭＲＳポート割り当て総数によって、ユーザデータとＤＭＲＳシンボルとをマッピングする。さらに、基地局は、各協調伝送ＵＥのＤＭＲＳポートの割り当て状況およびＯＣＣの長さによって、ユーザデータとＤＭＲＳシンボルとを、１つのＲＢの複数のＲＥにマッピングする。各協調伝送ＵＥは、仮定されたＤＭＲＳ密度に従って、得られた自局のＤＭＲＳポート情報を十分に利用して、自局のＤＭＲＳシンボルおよびユーザデータを正確に受信する。仮定されたＤＭＲＳ密度と実際のＤＭＲＳ密度とが合わない場合でも、本発明の方法は、自局のＤＭＲＳシンボルの受信を確保することができる。
【図面の簡単な説明】
【００３２】
【図１】本発明の１つの実施例におけるＭＵ−ＭＩＭＯ伝送方法のフローチャートである。
【図２】本発明の実施例における１つのＲＢにおける第１のＤＭＲＳシンボル領域、第２のＤＭＲＳシンボル領域、およびユーザデータ領域の分布を示す図である。
【図３ａ】フルバッファトラヒックモデルを採用する場合の透過ＭＵ−ＭＩＭＯと非透過ＭＵ−ＭＩＭＯとの性能比較を示す図である。
【図３ｂ】フルバッファトラヒックモデルを採用する場合の透過ＭＵ−ＭＩＭＯと非透過ＭＵ−ＭＩＭＯとの性能比較を示す図である。
【図４ａ】ＯＮ−ＯＦＦトラヒックモデルを採用する場合の透過ＭＵ−ＭＩＭＯと非透過ＭＵ−ＭＩＭＯとの性能比較を示す図である。
【図４ｂ】ＯＮ−ＯＦＦトラヒックモデルを採用する場合の透過ＭＵ−ＭＩＭＯと非透過ＭＵ−ＭＩＭＯとの性能比較を示す図である。
【発明を実施するための形態】
【００３３】
本発明の目的、解決手段およびメリットをさらに明確にするために、以下、図面を参照して実施例を挙げながら、本発明をさらに詳しく説明する。
【００３４】
図１は、本発明の１つの実施例におけるＭＵ−ＭＩＭＯ伝送方法のフローチャートであり、以下のステップを含む。
【００３５】
ステップ１０１で、基地局は、ＭＵ−ＭＩＭＯ伝送を行う１つ以上の協調伝送ユーザ端末に対して、復調パイロット信号ポートを設定する。
【００３６】
ステップ１０２で、ＤＭＲＳポート割り当て総数と、設定されたＤＭＲＳポートとによって、各協調伝送ユーザ端末のＤＭＲＳシンボルとユーザデータとを、各リソースブロックにマッピングする。
【００３７】
ステップ１０３で、前記１つ以上の協調伝送ユーザ端末のうちの第iのユーザ端末のＤＭＲＳポート情報を、該第iのユーザ端末に送信する。
【００３８】
ステップ１０４で、前記第iのユーザ端末は、自局のＤＭＲＳポート情報によって、各ＲＢからユーザデータと自局のＤＭＲＳシンボルとを受信する。
【００３９】
上記の透過ＭＵ−ＭＩＭＯ伝送において、協調伝送に参加する各ユーザ端末（ＵＥ）は、いずれもＤＭＲＳポート割り当て総数（ｔｏｔａｌ  ｒａｎｋ）に対応するＤＭＲＳ密度情報を知ることができない。以下、ＤＭＲＳポート割り当て総数をTrankで表す。従って、基地局側でＰＤＳＣＨマッピングを行う場合、および、ＵＥ側で受信を行う場合、以下のいくつかの案があることができる。
【００４０】
案１（Ｔｒａｎｓｐａｒｅｎｔ  Ｃａｓｅ１）で、Trankが２より大きいかどうかに関わらず、基地局は、図２に示した斜線で塗りつぶしたＲＥおよびドットで塗りつぶしたＲＥに、ユーザデータをパディングしない。ここで、斜線で塗りつぶしたＲＥは、第１のＤＭＲＳシンボル領域であり、ドットで塗りつぶしたＲＥは、第２のＤＭＲＳシンボル領域であり、塗りつぶされなかったＲＥのうち、固定的にシグナリング用に割り当てられたＲＥの以外のＲＥは、ユーザデータ領域である。具体的に、第１のＤＭＲＳシンボル領域は、ｉ＝６、７、１３、１４かつｊ＝１、６、１１であるＲＥを含み、第２のＤＭＲＳシンボル領域は、ｉ＝６、７、１３、１４かつｊ＝２、７、１２であるＲＥを含む。ＲＢの分割は、図２に示す方式に限らない。１つのＲＢをＭ＊Ｎ個（ＭとＮは両方とも１より大きい整数）のＲＥに分けることができる。
【００４１】
Trank＞2(Trank＝3,4,5,6,7,8)である場合、ＤＭＲＳシンボルは２４個のＲＥを使用し、基地局での上記処理には、リソース浪費の問題が存在していない。Trank≦2である場合、ＤＭＲＳシンボルはただ１２個のＲＥを使用し、ほかの１２個のＲＥ（即ち、第２のＤＭＲＳシンボル領域）は空であり、ユーザデータのパディングに使用しない。
【００４２】
相応に、ＵＥは、基地局側で使用されるＤＭＲＳ密度が、各ＲＢごとに２４個のＲＥを使用すること（即ち、２４ＲＥｓ／ＲＢ）である、と仮定する。そのため、ＵＥは、この２４個のＲＥから、ユーザデータを受信しない。基地局側は、いかなる場合でも、第２のＤＭＲＳシンボル領域にユーザデータをパディングしない。即ち、第２のＤＭＲＳシンボル領域は、ＤＭＲＳシンボルがパディングされなければ、空である。従って、ＵＥ側は、実際のＤＭＲＳ密度を考慮する必要がない。勿論、案１では、ＤＭＲＳ密度が１２ＲＥｓ／ＲＢである場合、ある程度のリソース浪費が存在している。
【００４３】
説明すべきものとして、ＯＣＣの長さが２であるかそれとも４であるかを問わず、案１は適用される。
【００４４】
案２（Ｔｒａｎｓｐａｒｅｎｔ  Ｃａｓｅ２）で、ＵＥは、基地局で使用されるＤＭＲＳ密度が１２ＲＥｓ／ＲＢである、と仮定する。
【００４５】
（１）Trank≦2である場合、基地局側は、ビットを単位とするユーザデータおよびＤＭＲＳシンボルに対して、符号化および変調を行い、ユーザデータとＤＭＲＳシンボルとを、各ＲＢのＲＥにマッピングする。Trank≦2であるため、ＤＭＲＳシンボルは、多くとも斜線で塗りつぶした１２個のＲＥを使用し、各ＲＢにおけるほかのＲＥ（即ち、ユーザデータ領域および第２のＤＭＲＳシンボル領域）には、いずれもユーザデータがパディングされる。
【００４６】
相応に、第iのＵＥは、Ｐｏｒｔ−０またはＰｏｒｔ−１を使用してもよく、あるいは、Ｐｏｒｔ−０とＰｏｒｔ−１とを同時に使用してもよい。つまり、ＤＭＲＳ密度が確かに１２ＲＥｓ／ＲＢであり、ＵＥの仮定が正しい。ＵＥは、受信する時、斜線で塗りつぶした１２個のＲＥのみからＤＭＲＳシンボルを取得し、ほかのＲＥからユーザデータを取得する。
【００４７】
（２）Trank＞2であり、かつＯＣＣの長さが２であり（即ち、4≧Trank＞2である）、かつ第iのＵＥが斜線で塗りつぶした１つまたは複数のＲＥを使用する場合、基地局側は、まず、図２に斜線で塗りつぶして示した１２個のＲＥを除くほかのＲＥに、ユーザデータをパディングし、次に、ＤＭＲＳシンボルとユーザデータとの間で衝突が発生しないように、図２にドットで塗りつぶして示した１２個のＲＥにおけるユーザデータを除去して（ｐｕｎｃｔｕｒｅ）、協調相手ユーザ端末（ｃｏ−ｓｃｈｅｄｕｌｅｄ  ＵＥ）のＤＭＲＳシンボルをパディングする。
【００４８】
第iのＵＥは、受信する時、自局のＤＭＲＳポート情報（基地局により提供される）によって、自局がＰｏｒｔ−０またはＰｏｒｔ−１を使用するか、それとも、Ｐｏｒｔ−０とＰｏｒｔ−１とを同時に使用するかを知る。つまり、第iのＵＥで使用されるポートの番号は１以下である。それでは、該第iのＵＥは、斜線で塗りつぶした１２個のＲＥのみからＤＭＲＳシンボルを取得して、ほかのＲＥからユーザデータを取得する。この場合、第iのＵＥは、ドットで塗りつぶして示した１２個のＲＥに記録された協調相手ＵＥのＤＭＲＳシンボルも、自局のユーザデータと見なす。説明すべきものとして、全ての使用可能なＤＭＲＳポートは、０からNport−1まで順次に番号が付けられる。
【００４９】
全ての協調伝送ＵＥに対して設定されたＤＭＲＳポートが連続しない場合、基地局は、前記ＤＭＲＳポート割り当て総数が２より大きく、かつＯＣＣの長さが２であると決定した場合、ＤＭＲＳポート設定によって、前記ＤＭＲＳシンボルを、第１のＤＭＲＳシンボル領域と第２のＤＭＲＳシンボル領域とのうちの一方にマッピングし、ユーザデータを、第１のＤＭＲＳシンボル領域と第２のＤＭＲＳシンボル領域とのうちの他方および前記ユーザデータ領域にマッピングし、次に、前記第１のＤＭＲＳシンボル領域と第２のＤＭＲＳシンボル領域とのうちの他方におけるユーザデータを除去して、協調相手ユーザ端末のＤＭＲＳシンボルをパディングする。
【００５０】
相応に、第iのユーザ端末は、前記ＯＣＣの長さが２であることを知り、かつ、自局のＤＭＲＳポート情報によって、第１のＤＭＲＳシンボル領域と第２のＤＭＲＳシンボル領域とのうちの一方から、自局のＤＭＲＳシンボルを受信して、第１のＤＭＲＳシンボル領域と第２のＤＭＲＳシンボル領域とのうちの他方および前記ユーザデータ領域から、第１のデータを受信する。
【００５１】
（３）Trank＞2であり、かつＯＣＣの長さが２であり（即ち、4≧Trank＞2である）、かつ第iのＵＥがドットで塗りつぶして示した１つまたは複数のＲＥを使用する場合、基地局は、ユーザデータをユーザデータ領域にマッピングして、ＤＭＲＳシンボルを第１のＤＭＲＳシンボル領域および第２のＤＭＲＳシンボル領域にマッピングする。
【００５２】
相応に、第iのユーザ端末は、ユーザデータ領域からユーザデータを受信して、第１のＤＭＲＳシンボル領域および第２のＤＭＲＳシンボル領域から、自局のＤＭＲＳシンボルを受信する。
【００５３】
案３（Ｔｒａｎｓｐａｒｅｎｔ  Ｃａｓｅ３）で、案２に類似して、即ち、ＵＥは、基地局で使用されるＤＭＲＳ密度が１２ＲＥｓ／ＲＢである、と仮定する。案２と異なる点として、実際のＤＭＲＳ密度が２４ＲＥｓ／ＲＢである場合、基地局は、まず、ユーザデータを、図２に斜線で塗りつぶして示した１２個のＲＥを除くほかのＲＥにパディングし、次に、協調相手ＵＥのＤＭＲＳシンボルを、図２にドットで塗りつぶして示した１２個のＲＥにおけるユーザデータに重畳する。上記の処理は、第iのＵＥのユーザデータと協調相手ＵＥのＤＭＲＳシンボルとの間の干渉を引き起こす可能性があるが、第iのＵＥのユーザデータと協調相手ＵＥのＤＭＲＳシンボルとが使用するプリコーディングベクトルが異なるため、第iのＵＥ側では、上記の両者を依然として区別することができる。
【００５４】
全ての協調伝送ＵＥに対して設定されたＤＭＲＳポートが連続しない場合、基地局は、前記ＤＭＲＳポート割り当て総数が２より大きく、かつＯＣＣの長さが２であると判定した場合、ＤＭＲＳポート設定によって、前記ＤＭＲＳシンボルを、第１のＤＭＲＳシンボル領域と第２のＤＭＲＳシンボル領域とのうちの一方にマッピングして、ユーザデータを、第１のＤＭＲＳシンボル領域と第２のＤＭＲＳシンボル領域とのうちの他方および前記ユーザデータ領域にマッピングし、次に、協調相手ユーザ端末のＤＭＲＳシンボルを、前記第１のＤＭＲＳシンボル領域と第２のＤＭＲＳシンボル領域とのうちの他方におけるユーザデータに重畳する。例えば、第iのユーザ端末のＤＭＲＳシンボルが、第２のＤＭＲＳシンボル領域を使用する場合、ユーザデータは、第１のＤＭＲＳシンボル領域およびユーザデータ領域にマッピングされることになる。
【００５５】
相応に、第iのユーザ端末は、前記ＯＣＣの長さが２であることを知る場合、自局のＤＭＲＳポート情報によって、前記第１のＤＭＲＳシンボル領域と第２のＤＭＲＳシンボル領域とのうちの一方から、自局のＤＭＲＳシンボルを受信し、前記ユーザデータ領域からユーザデータを受信して、前記第１のＤＭＲＳシンボル領域と第２のＤＭＲＳシンボル領域とのうちの他方から、第１のデータを受信し、プリコーディングベクトルによって、前記第１のデータからユーザデータを分離する。
【００５６】
以下、シミュレーションにより、透過ＭＵ−ＭＩＭＯと非透過ＭＵ−ＭＩＭＯとの性能を比較する。表１は、シミュレーションに使用されるリンクレベルのパラメータを示す。ここで、ＰＤＣＣＨは、２つのＯＦＤＭシンボルを使用して、共通制御チャネルのオーバヘッドを無視する。さらに、ＤＭＲＳポート割り当て総数が１〜２である場合、ＤＭＲＳ密度が１２ＲＥｓ／ＲＢであり、ＤＭＲＳポート割り当て総数が３〜８である場合、ＤＭＲＳ密度が２４ＲＥｓ／ＲＢである、と仮定されている。
【表１】
2011142617.tif 000003
【００５７】
図３は、フルバッファトラヒックモデルを採用する場合の透過ＭＵ−ＭＩＭＯと非透過ＭＵ−ＭＩＭＯとの性能比較を示す図である。該フルバッファトラヒックモデルは、バッファ内のデータ量がいつでもフルであること、を指す。ここで、図３ａは、ＭＲＣ受信機を採用する場合のシステムスループット（ｓｙｓｔｅｍ  ｔｈｒｏｕｇｈｐｕｔ）の比較を示す図であり、図３ｂは、IＲＣ受信機を採用する場合のシステムスループットの比較を示す図である。図３ｂについて、透過ＭＵ−ＭＩＭＯにおいて、協調相手ＵＥのＤＭＲＳポート情報が未知であるため、IＲＣ受信機は、ブラインド検出を採用する。例えば、ブラインド検出において、協調相手ＵＥが存在していることが終始認められる。図３から分かるように、どのような受信機を採用しても、非透過ＭＵ−ＭＩＭＯは、任意のＳＮＲの場合でも、最適な性能を有する。但し、説明すべきものとして、非透過ＭＵ−ＭＩＭＯは、より大きいシグナリングオーバヘッドを意味する。透過ＭＵ−ＭＩＭＯの案３は、ＳＮＲが高くない（比較的低いあるいは中等である）場合、非透過ＭＵ−ＭＩＭＯと類似する性能を有する。但し、ＳＮＲが比較的高い場合、チャネル推定の正確さが低下するため、透過ＭＵ−ＭＩＭＯの案３の性能も低下することになる。そのほか、リソース浪費が存在しているため、透過ＭＵ−ＭＩＭＯの案１は、全てのＳＮＲの場合でも、性能損失が存在している。透過ＭＵ−ＭＩＭＯの案２について、ＳＮＲが比較的低く、かつＤＭＲＳポート割り当て総数が比較的小さい場合、ＰＤＳＣＨ除去を実行する必要がないため、その性能が最適である一方、ＳＮＲが比較的高い場合、ＤＭＲＳポート割り当て総数が比較的大きい状況に対して、ＰＤＳＣＨ除去を実行する必要があるため、性能損失が発生してしまうことになる。
【００５８】
図４は、ＯＮ−ＯＦＦトラヒックモデルを採用する場合の透過ＭＵ−ＭＩＭＯと非透過ＭＵ−ＭＩＭＯとの性能比較を示す図である。ＯＮ−ＯＦＦ因子は０．５であり、該ＯＮ−ＯＦＦトラヒックモデルは、バッファ内のデータ量がいつでもフルであるわけではないこと、を指す。このバッファデータ量がフルになる状態は間歇的である。ここで、図４ａは、ＭＲＣ受信機を採用する場合のシステムスループットの比較を示す図であり、図４ｂは、IＲＣ受信機を採用する場合のシステムスループットの比較を示す図である。ここから分かるように、該シミュレーション結果は、フルバッファトラヒックモデルと類似する。勿論、有限なバッファのトラヒックは、ＤＭＲＳポート割り当て総数の減少をもたらすことになる。こうすれば、透過ＭＵ−ＭＩＭＯの案３のゲインは、非透過ＭＵ−ＭＩＭＯと比べて、少し減少する。その具体的な原因として、透過ＭＵ−ＭＩＭＯの案３では、ユーザデータと協調相手ＵＥのＤＭＲＳシンボルとを重畳することで、ＰＤＳＣＨの長さの増加を引き起こして、そのゲインを低下させることである。そのほか、透過ＭＵ−ＭＩＭＯの案１の性能は、透過ＭＵ−ＭＩＭＯの案２と比べて、少し低下する。
【００５９】
シミュレーション結果から分かるように、
１．案３で実現される透過ＭＵ−ＭＩＭＯ（即ち、あるＵＥのユーザデータと協調相手ＵＥのＤＭＲＳシンボルとを直接に重畳）は、非透過ＭＵ−ＭＩＭＯと比べて、ＳＮＲが比較的低い場合、非透過ＭＵ−ＭＩＭＯと類似する性能を有する一方、ＳＮＲが比較的高い場合、ある程度の性能損失がある。
２．透過ＭＵ−ＭＩＭＯについて、ＵＥ側はＤＭＲＳ密度が２４ＲＥｓ／ＲＢであることを終始仮定する場合（即ち案１）、あるいは、ＤＭＲＳ密度が１２ＲＥｓ／ＲＢであることを終始仮定し、かつＰＤＳＣＨ除去が実行される場合（即ち案２）、ある程度の性能損失が存在する。
【００６０】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011142617.tif 000004
【図２】
2011142617.tif 000005
【図３ａ】
2011142617.tif 000006
【図３ｂ】
2011142617.tif 000007
【図４ａ】
2011142617.tif 000008
【図４ｂ】
2011142617.tif 000009